(57)【特許請求の範囲】
【請求項１】
被検眼の検査等を行うための光学系収納部が搭載され、基台上を水平方向に移動可能な移動台と、前記基台に対して前記移動台を固定するための固定機構と、を備える眼科装置において、前記固定機構は、
前記基台の上部壁に形成された開口を通して前記移動台との間で上下移動可能に配置されたロック軸であって、上端に形成された第１ネジ部と該第１ネジ部より下側に形成された第２ネジ部とを有し、且つ前記基台の上部壁を前記移動台側に押さえ付けるフランジを持つロック軸と、
該ロック軸をその軸回りに回転させる回転部材と、
前記移動台側に配置され、前記第１ネジ部に螺合する第１螺合ネジ部と、
前記第２ネジ部に螺合する第２螺合ネジ部であって、固定時に前記第２ネジ部との螺合が外れる位置で前記基台側に配置された第２螺合ネジ部と、を備え、
前記回転部材の回転操作により、前記第２螺合ネジ部に螺合した前記第２ネジ部によってロック軸が移動台側に送り出され、前記第２螺合ネジ部から第２ネジ部が外れる前に前記第１螺合ネジ部に前記第１ネジ部が螺合し、前記フランジが前記基台の上部壁を移動台側に押さえ付ける構成としたことを特徴とする眼科装置。
【請求項２】
被検眼の検査等を行うための光学系収納部が搭載され、基台上を水平方向に移動可能な移動台と、前記基台に対して前記移動台を固定するための固定機構と、を備える眼科装置において、前記固定機構は、
前記基台の上部壁に形成された開口を通して前記移動台との間で上下移動可能に配置されたロック軸であって、上端に形成された嵌合部と該嵌合部より下側に形成されたネジ部とを有するロック軸と、
該ロック軸をその軸回りに回転させる回転部材と、
前記移動台側に配置され、前記嵌合に嵌め合わされる嵌合受け部と、
前記ネジ部に螺合する螺合ネジ部と、を備え、
前記回転部材の回転操作により、前記螺合ネジ部に螺合した前記ネジ部によってロック軸が移動台側に送り出され、ロック軸の前記嵌合部が移動台側の前記嵌合受け部に嵌合される構成としたことを特徴とする眼科装置。
【発明の詳細な説明】
【技術分野】
【０００１】
本発明は、患者眼の検査等を行う眼科装置に関する。
【背景技術】
【０００２】
眼科装置には、眼の検査や治療を行うスリットランプ、患者眼の屈折力を他覚的に測定する他覚眼屈折力測定装置や、眼底を撮影する眼底カメラなど様々な装置がある。患者眼のアライメントを行うために、これらの装置には検査、観察、測定等を行うための光学系が収められた光学系収納部（移動台）を基台上で水平方向に移動できるように水平移動機構が設けられている。そして、装置を使用しないとき、装置を移動するとき、検眼車に装置を搭載して移動するとき等には、光学系収納部が移動しないように光学系収納部を基台に固定する固定機構が設けられている（例えば、特許文献１参照）。
【特許文献１】特開２００１−４６３３７号公報
【発明の開示】
【発明が解決しようとする課題】
【０００３】
しかしながら、特許文献１のような固定機構では、基台下部にネジ式の回転ノブが取り付けられ、光学系収納部には回転ノブのネジ部と螺合する部材が設けられており、光学系収納部を固定する場合には、回転ノブを上方に押し上げながら回す必要があり、押し上げと回転の２つの操作が伴うために、固定が上手くできない問題があった。
【０００４】
本発明は、上記従来技術の問題点に鑑み、簡単な操作で移動台を基台に対して固定できる眼科装置を提供することを技術課題とする。
【課題を解決するための手段】
【０００５】
上記課題を解決するために、本発明は以下のような構成を備えることを特徴とする。
（１）  被検眼の検査等を行うための光学系収納部が搭載され、基台上を水平方向に移動可能な移動台と、前記基台に対して前記移動台を固定するための固定機構と、を備える眼科装置において、前記固定機構は、
前記基台の上部壁に形成された開口を通して前記移動台との間で上下移動可能に配置されたロック軸であって、上端に形成された第１ネジ部と該第１ネジ部より下側に形成された第２ネジ部とを有し、且つ前記基台の上部壁を前記移動台側に押さえ付けるフランジを持つロック軸と、
該ロック軸をその軸回りに回転させる回転部材と、
前記移動台側に配置され、前記第１ネジ部に螺合する第１螺合ネジ部と、
前記第２ネジ部に螺合する第２螺合ネジ部であって、固定時に前記第２ネジ部との螺合が外れる位置で前記基台側に配置された第２螺合ネジ部と、を備え、
前記回転部材の回転操作により、前記第２螺合ネジ部に螺合した前記第２ネジ部によってロック軸が移動台側に送り出され、前記第２螺合ネジ部から第２ネジ部が外れる前に前記第１螺合ネジ部に前記第１ネジ部が螺合し、前記フランジが前記基台の上部壁を移動台側に押さえ付ける構成としたことを特徴とする。
（２）  被検眼の検査等を行うための光学系収納部が搭載され、基台上を水平方向に移動可能な移動台と、前記基台に対して前記移動台を固定するための固定機構と、を備える眼科装置において、前記固定機構は、
前記基台の上部壁に形成された開口を通して前記移動台との間で上下移動可能に配置されたロック軸であって、上端に形成された嵌合部と該嵌合部より下側に形成されたネジ部とを有するロック軸と、
該ロック軸をその軸回りに回転させる回転部材と、
前記移動台側に配置され、前記嵌合に嵌め合わされる嵌合受け部と、
前記ネジ部に螺合する螺合ネジ部と、を備え、
前記回転部材の回転操作により、前記螺合ネジ部に螺合した前記ネジ部によってロック軸が移動台側に送り出され、ロック軸の前記嵌合部が移動台側の前記嵌合受け部に嵌合される構成としたことを特徴とする。
【発明の効果】
【０００６】
本発明によれば、簡単な操作で光学系収納部を持つ移動台を基台に対して固定できる。
【発明を実施するための最良の形態】
【０００７】
以下、本発明の実施の形態を図面に基づいて説明する。図１は本発明の実施の形態の眼科装置の模式的側部断面図である。１は他覚眼屈折力測定装置や眼底カメラ等の患者眼の検査、観察、測定等を行う光学器械の光学系が収められた光学系収納部である。２はジョイスティックで、その下端には鋼球２ａが固着されている。４は光学系収納部１を搭載した移動台であり、内部には水平方向に移動させる水平移動機構部３及び光学系収納部１を上下方向に移動させる上下移動機構部６１が組み込まれている。移動台４は、基台５上を水平方向に移動可能に搭載され、ジョイスティック２の水平方向の操作により移動される。また、ノブ２ｂを回転操作すると、上下移動機構部６１によって光学系収納部１が上下方向に移動される。基台５の内部には、水平移動機構部３の水平シャフト６、案内管７、鋼球８、ラック９が配置されている。鋼球８が転がることにより移動台４が移動するが、案内管７の部分にベアリングを組み合わせて配置してもよい。基台５の被検者側には患者の顔を固定するための顔支持ユニット６２が固定されている。基台５及び移動台４の検者側には、基台５に対して移動台４を固定するための固定機構１０が配置されている。
【０００８】
固定機構１０の構成を、図２、３を基に説明する。図２は、固定機構１０を説明するための側方から見た断面図であり、図２（ａ）は、基台５に対する移動台４の固定が解除されている状態の図であり、図２（ｂ）は基台５に対して移動台４が固定された状態の図である。
【０００９】
基台５の上部壁５ａには開口４０が形成され、その開口を通ってロック軸１１が基台５と移動台４との間で上下移動可能に配置されている。ロック軸１１の上端には第１のネジ部１２が形成され、移動台４側にはネジ部１２に螺合する螺合ネジ部としてのナット部５２が固定部材５１にて固定されている。一方、ネジ部１２より下に位置するロック軸１１の下端には第２のネジ部１３が形成されている。基台５の内部には、ネジ部１３に螺合する螺合ネジ部としてのナット部４３が固定されている。詳細な図示は略したが、ネジ部１２、１３及びナット部４３，５２には互いに嵌め合うネジ山が形成されている。ネジ部１２とネジ部１３との位置関係は、ロック軸１１の回転により、ネジ部１３がナット部４３から外れ、ネジ部１２がナット部５２に噛み合う関係とされている。ネジ部１２の上端、１３の下端にはそれぞれ面取り加工が施され、ナット部５２，４３への螺合がし易くなっている。
【００１０】
基台５には、ロック軸１１を回転させるための操作部材としての回転ノブ２０が、ロック軸１１の軸回りに回転可能に配置されている。回転ノブ２０は、胴体部２１と胴体部２１の下に形成された鍔部２２とを持つハット状の形状である。鍔２２の縁部は、基台５の検者側の壁５ｂに形成された開口部４２から突出するように配置されている。回転ノブ２０の内部は中空に形成されている。ロック軸１１の中心付近にはフランジ１４が一体的に形成され、フランジ１４は回転ノブ２０の内部は中空に位置するように配置されている。
【００１１】
フランジ１４の上面１４ａは、ナット部５２に第１ネジ部１２を噛み合わせてロック軸１１を締め付けるときに、その締め付けで回転ノブ２０が持つ胴体部２１の上部を介して基台５の上部壁５ａを移動台４側に押え付けるストッパ面となる。
【００１２】
図３は、回転ノブ２０の回転操作によりロック軸１１を回転させる回転伝達機構を説明する図であり、図３（ａ）は、回転ノブ２０及びロック軸１１を下方向から見た斜視図である。図３（ｂ）はロック軸１１と回転ノブ２０が組み合せられた状態を示す図である。
【００１３】
回転ノブ２０の胴体部２１の上部には、ロック軸１１を通す穴２３が開けられている。フランジ１４には、ピン３０を係合させるための略半円状の切り欠き１５が２箇所に形成されている。一方、回転ノブ２０の胴体部２１の内側壁にも、切り欠き１５に対応し、ピン３０に係合する略半円状の窪み２５が２箇所に形成されている。胴体部２１の上部にはピン３０の先端３０ａを通すピン穴２４が形成されている。組み付け時には、ロック軸１１を穴２３に収め、２箇所の切り欠き１５と窪み２５とにより形成される穴部にピン３０を通す。このような構成により、回転ノブ２０を回転させると、その回転は窪み２５、ピン３０及び切り欠き１５を介してロック軸１１に伝達される。また、ロック軸１１はピン３０にガイドされて、回転ノブ２０の胴体部２１の内部で上下方向に自由にスライドすることができる。
【００１４】
なお、以上の説明では、窪み２５を胴体部２１の内側壁に形成したが、これに限るものではない。フランジ１４が胴体部２１、ピン３０から伝達される回転力を受ける構成ならばよい。フランジ１４の切り欠き１５を大きめに形成し、窪み２５を胴体部２１に形成せずに、フランジ１４をピン３０にて胴体部２１に固定する構成としてもよい。
【００１５】
次に、上記のような固定機構１０による基台５に対する移動台４の固定を説明する。回転ノブ２０を右回転させると、ピン３０等による回転伝達機構によりロック軸１１が回転され、ナット部４３と第２ネジ部１３とによりロック軸１１が上側（移動台４側）に送り出される。すなわち、回転ノブ２０の高さ位置を変えることなく、その回転操作のみで、ロック軸１１を上側に送り出すことができる。ロック軸１１を数回転させると、ネジ部１３がナット部４３から外れるようになるが、ネジ部１３がナット部４３から外れる前に（又はネジ部１３がナット部４３から外れた後の１回転の間に）、ロック軸１１の上部のネジ部１２が移動台４に設けられたナット部５２に螺合され、ロック軸１１が移動台４側に引き込まれる（上側へ送られる）。さらに、回転ノブ２０を回転させると、図２（ｂ）に示すように、フランジ１４の上面１４ａが回転ノブ２０の胴体部２１上部に当接し、基台５の上部壁５ａを押さえつけるようになり、基台５に対する移動台４の水平移動及び上下移動が固定される。なお、フランジ１４の上面１４ａが基台５の上部壁５ａを直接押さえつける構造でも良い。
【００１６】
移動台４の固定を解除するときは、回転ノブ２０を先程の方向と逆方向（左方向）に回転させることで、ネジ部１２とナット部５２で逆回転が起こり、ロック軸１１が下方へと送られる。先に説明した上昇の場合と逆の順番でネジ部１２がナット部５２から外れ、ネジ部１３がナット部４３に螺合することにより、ロック軸１１が基台５側へ引き込まれる。ネジ部１２がナット部５２の最下方に引き込まれたところで、回転ノブ２０の回転が止まり、ロック軸１１の上端が上部壁５ａの開口４０内に収まり、ロックが解除される。
【００１７】
なお、移動台４を基台５に固定するときは、図３に示すように、基台５側の開口４０と移動台４側のナット部５２の中心を水平方向で同じ位置とする。図示は略すが、移動台４と基台５には固定する際の位置決めをし易くするマーク等がそれぞれ付されており、作業者はそのマークに基づいて水平方向の位置合せを行う。なお、位置合せは厳密に行わなくてもよい。先に説明したように、ネジ部１２の上部は面取り加工をしているため、ナット部５２に対して水平方向の位置合せに多少のズレ、例えば１ｍｍ程度、があっても、螺合できる。
【００１８】
このようにして、移動台４の移動の固定・固定解除が、回転ノブ２０を一方向へと回転させることでできる。さらに、移動台４の固定時において、ネジ部１３がナット部４３から外れ、ネジ部１２とナット部５２との一方のネジ締めで行われることで、ロック軸１１や移動台４等に掛かる負荷が低減される。
【００１９】
仮に、固定時にロック軸１１の両端のネジ部１２，１３が共にナット部４３，５２に螺合したままの構成とすると、移動固定をするために、回転ノブ２０を回しても、ロック軸１１上端のネジ部１２がナット部５２に螺合しにくくなる惧れがある。また、この構成で固定が行われると、ロック軸１１のネジ部１２，１３とこれらに螺合するナット部４３，５２に過度の負荷が掛かる惧れがある。
【００２０】
なお、ナット部４３とナット部５２の距離は、ネジ部１３とナット部４３の螺合が外れる前に、ネジ部１２がナット部５２と螺合する程度の距離としているが、これに限るものではない。ネジ部１３がナット部４３から外れた後に、ネジ部１２がナット部５２と螺合する程度の距離であってもよい。この場合は、ネジ部１３がナット部４３から外れたときに、ネジ部１２がナット部５２に当接していることが条件となる。この状態で、ロック軸１１が１回転空回りしている間にネジ部１２のネジ山がナット部５２のネジ山に掛かることで、ネジ部１２とナット部５２の螺合が始まる。
【００２１】
なお、上記では第１のネジ部１２と第２のネジ部１３を別々に形成したが、第１のネジ部１２が第２のネジ部１３を兼ねる構成とすることもできる。この場合、ナット部４３を基台５の上部壁５ａの下に設け、ロック軸１１のフランジ１４をナット部４３の下に位置するように形成する。
【００２２】
また、本実施形態では、回転ノブ２０の胴体内２１をフランジ１４がスライドすることで、回転ノブの位置（高さ）が変わらず、ロック軸１１を上下動させる構成としたが、これに限るものではない。ロック軸１１の上昇に伴って、フランジ１４の上面１４ａが胴体部２１の上面に接した後に回転ノブ２０も共に上昇する構成としてもよい。この場合は、開口部４２が回転ノブ２０の上昇を邪魔しない程度の形成される。また、フランジ１４を設けない構成としてもよい。例えば、ロック軸１１の中央部に一体的に回転ノブを形成してもよい。このような場合は、ロック軸の上下動と一緒に回転ノブも上下動するが、作業者は回転ノブに一方向の力を加えるだけで、移動台４の固定、固定解除ができる。
【００２３】
次に、本発明の変容例を図４を用いて説明する。以下の説明では、前述の構成と同じものは同じ部材を用い説明は省略する。先に説明した実施形態では、移動台４の移動固定時にロック軸１１の一方だけのネジ部１２とナット部５２で固定される構成としたが、これに限るものではない。図４（ａ）、（ｂ）に示すように、ロック軸１１ａの下端に設けられたネジ部１３ａとネジ部１３ａに螺合するナット部４３は、ロック軸１１ａが回転上昇しても外れない構成となっている。図４（ａ）では、ナット部５２の上面に弾性体６０を設け、固定部材５１で移動台４に固定する構成としている。このような構成では、ネジ部１２がナット部５２に当接して、先の述べた理由からうまく螺合しない場合、弾性体６０が、ネジ部１２の上昇力を吸収することで、ネジ部１２とナット部５２が上端まで螺合（嵌合）する。このように、弾性体６０が螺合時の負荷を吸収することにより、移動台４の固定状態でも、ネジ部１２、１３ａ、ロック軸１１、ナット部４３ａ、５２、移動台４、基台５等への負荷が低減される。
【００２４】
また、第二の変容例としては、図４（ｂ）に示すラッチ機構を用いたものでもよい。ラッチ機構の嵌合受け部となるケース７０とアーム７１及びスイッチ７２が設けられ、ケース７０が固定部材５１により移動台４に取り付けられる。基台５側にはラッチ機構の嵌合部となる玉軸７３が、ロック軸１１ｂの上端に設けられる。玉軸７３は球体状に形成されるため、ロック軸１１によってどのように回転しても、アーム７１に収まる。
【００２５】
回転ノブ２０の回転によりロック軸１１ｂが上昇し、玉軸７３がアーム７１の内側に収まる。さらに玉軸７３が上昇しスイッチ７２を押すことで、アーム７１が玉軸７３を挟み込んで保持する。これにより、ラッチ機構の嵌合が起こり、移動台４の移動が固定される。固定の解除は回転ノブ２０を逆に回転することで、玉軸７３が下方に下がる。さらに、玉軸７３が降下し、スイッチ７２を押さなくなることで、アーム７１の玉軸７３保持が解除される。ロック軸１１ｂが基台５に収まることで、移動台４の固定が解除される。
【００２６】
なお、嵌合部と嵌合受け部はラッチ機構で構成するものに限らない。ネジとナットを用いる比較的嵌合の誤差が厳密なものでなければよい。例えば、一般的に知られているチャック機構等であってもよい。
【図面の簡単な説明】
【００２７】
【図１】本発明の眼科装置の側部断面図である。
【図２】固定機構１０の模式的断面図である。
【図３】回転ノブの回転操作によりロック軸を回転させる回転伝達機構を説明する図である。
【図４】本発明の実施形態の変容例を説明する図である。
【符号の説明】
【００２８】
１  光学系収納部
３  水平移動機構部
４  移動台
５  基台
１０  固定機構
１１  ロック軸
１２、１３  ネジ部
２０  回転ノブ
４３、５２  ナット部
【図１】
0004841283.tif 000002
【図２】
0004841283.tif 000003
【図３】
0004841283.tif 000004
【図４】
0004841283.tif 000005